(57)【要約】【課題】  身飾品取り付け用チェーンの連結プレートを引き輪に対して取り付けやすくする。【解決手段】身飾品を取り付けるためのチェーンに装着される小物部品の一つであるところの、先端に引き輪取付穴を設けた平板状の連結プレートであって、該連結プレートの少なくとも片面に粗面化加工を施した。これにより左右の手先を首の背中側に回して指先の感触だけで連結プレートを摘まんだ際に、指との滑りが減少し、引き輪に対する掛け止め操作が容易になる。【選択図】図１
0003217730.tif 000002
【実用新案登録請求の範囲】
【請求項１】
身飾品を取り付けるためのチェーンに装着される小物部品の一つであるところの、先端に引き輪取付穴を設けた平板状の連結プレートであって、該連結プレートの少なくとも片面に粗面化加工を施した身飾品取り付け用チェーンの連結プレート。
【請求項２】
先端に引き輪取付穴を設けた平板状の連結プレートであって、該連結プレートの少なくとも片面に施した粗面化加工が、粗面化した部分と、粗面化を施していない部分とで一定の模様を形成していることを特徴とする請求項１に記載の身飾品取り付け用チェーンの連結プレート。
【請求項３】
連結プレートの少なくとも片面に施した、粗面化した部分と粗面化を施していない部分とで形成した一定の模様が、形成した凹凸部に対する光反射による陰陽の視覚的模様であるところの請求項２に記載の身飾品取り付け用チェーンの連結プレート。
【請求項４】
先端に引き輪取付穴を設けた平板状の連結プレートであって、該連結プレートの少なくとも片面に施した粗面化加工が微細な凹凸部の形成によるものである請求項１乃至３のうちいずれか一項に記載の身飾品取り付け用チェーンの連結プレート。
【請求項５】
連結プレートの少なくとも片面に施した微細な凹凸部の形成による粗面化加工が、凸部先端を尖らせてなるものである請求項４に記載の身飾品取り付け用チェーンの連結プレート。
【請求項６】
連結プレートの少なくとも片面に施した微細な凹凸部の形成による粗面化加工が、粗面化した各凸部先端を引き輪取り付け穴方向に向けて傾倒させた状態で尖らせてなるものである請求項４に記載の身飾品取り付け用チェーンの連結プレート。
【考案の詳細な説明】
【技術分野】
【０００１】
本考案は、ネックレス等の身飾品を首回りに取り付けるために用いられるチェーンの両端部を連結するための連結プレートに関する。
【背景技術】
【０００２】
一般的にネックレスやペンダント等の身飾品を首回りに取り付ける場合に、一端を身飾品に取り付けたチェーンの片側端部を他側のチェーン端部に連結する場合においては、例えば実用新案登録第3046752号公報に示されているように、片側に引き輪（4）を取り付けるとともに、他側には前記した引き輪に装着し、あるいは取り外すための、端部に小穴をあけたプレート（7）を取り付けて、このプレートの小穴を引き輪内に掛け止めして連結させるようにしたものが多い。
【０００３】
このようなプレートによる掛け止め手段を用いて装身用のチェーンを連結するようにしたものとしては、ほかにも実用新案登録第3203410号や、実用新案登録第3194055号、特開2008-173432号公報、実用新案登録第3109666号、実用新案登録第3105306号、実用新案登録第3075468号公報、実用新案登録第3070574号公報等をはじめとし、多数存在する。
【０００４】
また身飾品などの貴金属小物部品であるプレートではないが、表面の滑りをなくす手段としては、主として清掃用等に用いられる踏み台の天板上面に微細な凹凸領域を形成して滑り止め手段を施すようにしたものも知られている（実用新案登録第3205580号公報）。
【先行技術文献】
【特許文献】
【０００５】
【特許文献１】実用新案登録第3203410号公報
【特許文献２】実用新案登録第3194055号公報
【特許文献３】特開2008-173432号公報
【特許文献４】実用新案登録第3109666号公報
【特許文献５】実用新案登録第3105306号公報
【特許文献６】実用新案登録第3075468号公報
【特許文献７】実用新案登録第3070574号公報
【特許文献８】実用新案登録第3205580号公報
【考案の概要】
【考案が解決しようとする課題】
【０００６】
上記した各特許文献に開示されたプレートによる掛け止め手段を用いて身飾品用のチェーンを連結する場合、プレート自体は単なる連結手段にすぎず、見栄えのよさからあまり目立たないように最小限度の面積からなる平板状の小物部品として生産される。
【０００７】
一方でこの平板状のプレートを用いてチェーンの多方端側に有する引き輪に掛け止めする場合においては、ネックチェーンの両端部、つまり片側のプレート部分と反対側の引き輪部分を首の背中側に位置させたうえで左右両手の指先の触感覚だけで、一方の引き輪の開口レバーを移動させて開口部を開いた状態にするとともに、プレートを指先で摘まみ、その端部に形成した引き輪取り付け穴を上記引き輪内に掛け止めして装入させたうえで引き輪の開口レバーを元に戻すことによりネックチェーンの両端部を結合させて装身を完了するものである。
【０００８】
しかし、この場合に身飾品を取り付けるための連結プレートが比較的薄板の平板状でしかも小さいために指の腹上で滑りやすく、特に高齢者では指先の感覚が鈍いために連結プレートに形成された小穴を引き輪内に掛け止めする作業は容易ではなく手間取ることが多い。
【０００９】
なおこの場合に、滑り止め手段として微細な凹凸を形成して滑り止めを発揮させるようにした特許文献８に示されている踏み台の天板等も存在するが、身飾品はK18金やプラチナ等の高価な材料が用いられることと、連結プレート自体ができるだけ目立たないようにする必要があることなどから著しく小型化された部品として使用されている。そのために身飾品としての連結プレートに滑り止め手段を施すという発想はこれまでにない。
【課題を解決するための手段】
【００１０】
そこで、本考案においては身飾品を取り付けるための小物部品の一つである連結プレートについて、これを引き輪内に掛け止めする際に指の腹上で滑りにくくし、また指先での摘まんだ感覚を向上させて操作性を容易にしたものである。
具体的には、身飾品を取り付けるためのチェーンに装着される小物部品の一つである平板状の小穴つき連結プレートであって、該連結プレートの少なくとも片面に粗面化加工を施したものである。
【００１１】
また本考案は、平板状の小穴つき連結プレートであって、該連結プレートの少なくとも片面に施した粗面化加工が、粗面化した部分と、粗面化を施していない部分とで一定の模様を形成して装飾効果を演出していることを特徴とする連結プレートに関するものである。また連結プレートの少なくとも片面に施した粗面化加工が、微細な凹凸部の形成によるものであり、あるいは形成した凹凸部に対する光反射による陰陽の模様であることを特徴とするものである。
【００１２】
さらに本考案は、連結プレートの少なくとも片面に施した微細な凹凸部の形成による粗面化加工が、凸部先端を尖らせてなるものであることを特徴とする。
さらに本考案は、連結プレートの少なくとも片面に施した微細な凹凸部の形成による粗面化加工が、各凸部の先端を引き輪取り付け穴方向に向けて鋸歯状に傾倒させた状態で尖らせてなるものであることを特徴とするものである。
【考案の効果】
【００１３】
平板状の小穴つき連結プレートの少なくとも片面に微細な凹凸部の形成等による粗面化加工が施されているために、金属チェーンや、該金属チェーンによりペンダント等の身飾品を首回りに取り付ける際に、両手を首の背中側に回して片側の手の指先の感触だけで連結プレートを指先でつかみ、これを指の腹面との滑りがないように他側の手の指先で持っている引き輪に取つける場合の滑りが著しく減少し、引き輪に掛け止めする際の指先による操作性が著しく向上する。またこの粗面化加工が連結プレートの両面に施されている場合においては指との間の滑りがより一層減少し、操作性がさらにより一層向上する。
【００１４】
平板状の連結プレートであって、該連結プレートの少なくとも片面に施した粗面化加工が、粗面化した部分と、粗面化を施していない部分とで一定の模様を形成する場合においては身飾品のチェーン連結プレート自体も装飾性を増し、装身具の一部として違和感がなく用いることができる。
【図面の簡単な説明】
【００１５】
【図１】本考案の実施例である身飾品取り付け用チェーンの連結プレートの使用状態をあらわした拡大斜面図。
【図２】本考案の連結プレートに施した微細な凹凸部の形成の一例をあらわした部分拡大図。
【図３】本考案の連結プレートに施した微細な凹凸部形成の別の例をあらわした部分拡大図。
【考案を実施するための形態】
【００１６】
以下において本考案の具体的な内容について図１〜３に示した実施例をもとに説明をする。図１において、１は身飾品取り付け用チェーンの連結プレートであって、該連結プレート１の基端側にはチェーン６の一端を繋ぐための環体７をひき通す小孔２が、また反対側の先端には引き輪９に取り付けるための引き輪取り付け穴３が開口されている。さらに図において４は粗面化加工部をあらわしている。
【００１７】
粗面化加工部４の形成には、種々の手法が考えられるが、例えばエンボス加工機のような冶具の加圧面に多数の凹凸部を形成した冶具を連結プレート１の表面に押圧して刻印状に微細な凹凸を形成し、あるいはレーザー加工機を用いて任意の多数の凹凸を形成する手法も適用が可能である。なおこの場合に形成される粗面化のための微細な凹凸部の形成についてはランダムであってもアトランダムであってもよい。
さらにこの粗面化加工部４は平板状の連結プレート１の表面全面にわたり形成するか、あるいは中心部だけに施しても滑り止め効果があり、またこれらの粗面化加工部４の形成を連結プレート１の表面と裏面の両面に形成すると、さらに一層取扱性が向上する。
【００１８】
図１の実施例では連結プレート１の表面にのみ規則的間隔毎に複数の方形をした粗面化加工部４がランダムに形成されている。この場合粗面化加工部４は必ずしも規則的に配列されていなくともよく、単に細かい凹部の形成だけでもよいが、これらの凹部または凹凸部は主に指先の腹部が接する連結プレート１の中央部のみに形成されているだけでもよい。この場合に、連結プレート１の少なくとも片面に施した粗面化加工部４が、粗面化した部分と、粗面化を施していない部分とで図１に例示したように一定の模様を形成することができる。
【００１９】
なおこの場合の模様については粗面化加工したことにより形成された凹部または凹凸部に対する光反射による陰陽の視覚的模様であってもよい。連結プレートの少なくとも片面に施した微細な凹凸部の形成による粗面化加工が、凸部先端を尖らせてなるものであるほうがより一層指の滑りを減少させるが、この場合必ずしも凸部の先端部まで鋭突である必要はなく、先端部近くの部分は平坦にしてもよい。
【００２０】
さらに連結プレート１の少なくとも片面に施した微細な凹凸部の形成による粗面化加工部４については、図３にあらわしたような粗面化加工部５とすると、より一層指先との滑りを減少させることができる。つまり図３にあらわしたものは、連結プレート１の少なくとも片面に形成した微細な凹凸部について、各凹部５aに対する各凸部５ｂの先端を引き輪取り付け穴３方向に向けて傾倒させた状態で尖らせてなるものである。
【００２１】
これにより左右の両手首を背中側に回して両手の指先の一方の手の指先で連結プレート１をつかみ、多方の手の指先で引き輪９の突起部１０を掴んで溝９aに沿って留め具１０aをバネ等による付勢手段による付勢力に抗して開口部１２を開口させつつ連結プレート１の引き輪取り付け穴３を引き通して突起部１０を開放すると、連結プレート１が引き輪９に連結される。この場合に連結プレート１の少なくとも片面には粗面化加工部４が形成されているために連結プレート１の取り付け穴３を引き輪９に掛け止めする場合の操作性をより一層向上させることができる。
【００２２】
なお、図３の実施例の粗面化加工部５についての粗面化の手法や、粗面化加工部５の形成箇所、形成部位、粗面化加工部による模様の形成、凸部５ｂ先端の平坦などについては図２の実施例にあらわしたものについての説明と同様であるので説明を省略する。また引き輪９は取り付け輪１１によりチェーン６の他端部に環状部品８を介して取り付けられている。
【符号の説明】
【００２３】
１          連結プレート
２          小孔
３          引き輪取り付け穴
４          粗面化加工部
４ａ        凹部
４ｂ        凸部
５          粗面化加工部
５ａ        凹部
５ｂ        凸部
６          チェーン
７          環体
８          環状部品
９          引き輪
９ａ        溝
１０        突起部
１０ａ      留め具
１１        取り付け輪
１２        開口部
【図１】
0003217730.tif 000003
【図２】
0003217730.tif 000004
【図３】
0003217730.tif 000005